(57)【要約】      （修正有）【課題】航空機外板に使用する複合材料の選択のために、落雷時の損傷に影響する該材料の異方導電特性を測定するための、時間や費用の少ない方法を提供する。【解決手段】方法２００は、試料に材料を析出させるために、試料に電流を印加する２０４、試料の複数の位置で析出した材料の量を決定する２０６、及び、試料の複数の位置で析出した材料の量に基づいて、試料の異方導電特性を決定する、２０８を含む。【選択図】図２
2015148608.tif 000002
【特許請求の範囲】
【請求項１】
試料の異方導電特性を決定する方法２００であって、
試料に材料を析出させるために前記試料に電流を印加すること２０４；
前記試料の複数の位置で析出した前記材料の量を決定すること２０６；
前記試料の前記複数の位置で析出した前記材料の前記量に基づいて、前記試料の異方導電特性を決定すること２０８；及び、
前記試料の前記異方導電特性に基づいて、前記試料材で形成されるコンポーネントのパフォーマンスを予測すること２１０
を含む、方法。
【請求項２】
前記試料は炭素繊維複合材を含む、請求項１に記載の方法２００。
【請求項３】
前記材料は銅を含む、請求項１に記載の方法２００。
【請求項４】
前記試料の前記異方導電特性を決定することは、前記電流に反応した前記試料の一部の電流密度分布を推定することを含む、請求項１に記載の方法２００。
【請求項５】
前記試料は複合材料を含み、前記方法は、前記複合材料で形成されるコンポーネントの、前記コンポーネントが落雷を受ける場合のパフォーマンスを予測することをさらに含む、請求項１に記載の方法２００。
【請求項６】
前記複数の位置のうち特定の位置において析出した前記材料の前記量を決定することは、前記特定の位置に析出した前記材料の層の高さを測定するための光学測定デバイスを使用することを含む、請求項５に記載の方法２００。
【請求項７】
前記試料の前記異方導電特性を決定することは、前記試料の縁部の前記複数の位置で析出した前記材料の前記量に基づいて、前記試料の前記縁部における電流密度分布の２次元マップを生成することを含む、請求項６に記載の方法２００。
【請求項８】
前記電流を印加する前に、前記試料の第１の部分をめっき溶液に接触させることをさらに含み、前記電流は前記試料の第２の部分で印加され、前記試料は、前記試料の前記第１の部分から前記試料の前記第２の部分に、前記電流を異方的に伝導する、請求項７に記載の方法２００。
【請求項９】
前記試料の前記第１の部分は、前記試料の第１の縁部を含み、前記試料の前記第２の部分は、前記試料の中央近傍である、請求項８に記載の方法２００。
【請求項１０】
前記試料の前記複数の位置で析出した前記材料の前記量を決定すること４０２の後に：
前記試料の第２の縁部を形成するために、前記試料の前記第１の縁部の少なくとも１つのセクションを除去すること４０２；
前記試料の一部を前記めっき溶液に接触させること４０４；
前記第２の縁部で前記試料に前記材料を析出させるために、前記試料に第２の電流を印加すること４０６；
前記試料の前記第２の縁部の複数の位置で析出した前記材料の第２の量を決定すること４０８；及び
前記第２の縁部の前記複数の位置で析出した前記材料の前記量に基づいて、前記試料の第２の異方導電特性を決定すること４１０
をさらに含む、請求項９に記載の方法２１０。
【請求項１１】
前記異方導電特性及び前記第２の異方導電特性に基づいて、前記試料の電流密度分布の３次元マップを生成すること４１２をさらに含む、請求項１０に記載の方法２１０。
【発明の詳細な説明】
【技術分野】
【０００１】
本発明は、概して、異方導電特性の決定に関する。
【背景技術】
【０００２】
複合材料が使用される用途の多様性は増大している。例えば、複合材料は多くの用途において金属に取って代わるように使用されている。金属の代わりに複合材料を使用することには、重量削減などの多大な利点がある。しかしながら、金属の材料特性と金属の代わりに使用される複合材料の材料特性とが、異なることがしばしばある。例えば、複合材料のある種の材料特性は、異方性であり得る。解説すれば、複合材料は位置又は方向によって異なる電気的特性を有し得る。
【０００３】
異方導電特質は、複合材料を金属に替えることを難しくすることがある。例えば、商用航空機は従来、金属製の外板を使用してきた。金属製外板は、ほぼ均質な電気的特性をもたらし、これにより落雷時にも電荷を均等に分散することを助けることができる。複合材料の航空機外板の構築は航空機の軽量化を可能にするが、複合材料は、異方的に伝導する傾向がある。異方性導電は、落雷の発生時に局所化されたホットスポットを引き起こすかもしれず、これにより複合材の層間剥離などの重大な損傷が生じることがある。
【０００４】
航空機メーカー及び規制機関は、航空機外板に使用する複合材料の選択及び試験には多大な注意を払う。一般的に、試験は、シミュレートされた落雷を複合材料を含むコンポーネントのアセンブリ（例えば、金属製連結具を備える複合材パネル）に印加することにより実施される。多種多様な材料、アセンブリプロセス、及び他のコンポーネント（例えば、連結具）をこの方式で試験することは、時間と費用とがかかりすぎる。
【発明の概要】
【０００５】
特定の実施形態で、試料の異方導電特性を決定するための方法は、試料に材料を析出させるために、試料に電流を印加することを含む。当該方法は、試料の複数の位置で析出した材料の量を決定すること、及び、試料の複数の位置で析出した材料の量に基づいて、試料の異方導電特性を決定することも含む。当該方法は、試料の異方導電特性に基づいて、当該試料材で形成されるコンポーネントのパフォーマンスを、予測することもさら含む。好ましくは、当該方法は、試料に結合される第１の連結具を介して試料に電流を印加し、第１の連結具は、第２の連結具とは異なる。より好ましくは、第１の連結具は、第１の連結具と試料との間で第１のインターフェース材料を使用することを含む第１のアセンブリプロセスを使用して、試料に結合され、第２の連結具は、第２の連結具と第２の試料との間で第２のインターフェース材料を使用することを含む第２のアセンブリプロセスを使用して、第２の試料に結合され、第１のインターフェース材料は、第２のインターフェース材料とは異なる。
【０００６】
別の特定の実施形態では、落雷を受けた場合のコンポーネントのパフォーマンスを予測する方法は、試料の第１の縁部をめっき溶液に接触させることを含む。試料は複数の繊維を含み、当該複数の繊維のうち少なくとも１つの繊維サブセットの端部は、第１の縁部においてめっき溶液に曝露される。当該方法は、第１の縁部から除去された位置において試料に電流を印加することも含み、電流は、当該複数の繊維及び第１の縁部を介してめっき溶液に伝導される。当該方法は、電流に反応して第１の縁部の複数の位置で析出した材料の量を決定することをさらに含む。当該方法は、第１の縁部の複数の位置で析出した材料の量に基づいて、試料の第１の縁部における電流密度分布の２次元マップを生成すること含む。当該方法は、電流密度分布に基づいて、当該試料材で形成されるコンポーネントの、当該コンポーネントが落雷を受ける場合のパフォーマンスを、予測することをさらに含む。より好ましくは、当該方法は、試料の第２の縁部を形成するために試料の第１の縁部の少なくとも１つのセクションを除去すること、試料の第２の縁部をめっき液に接触させること、及び、第２の縁部において試料に材料を析出させるために、試料に第２の電流を印加することをさらに含み、第２の電流は、第２の縁部を介してめっき溶液に伝導される。これらのステップの後、当該方法は、第２の電流に反応して第２の縁部の複数の位置で析出した材料の第２の量を決定すること、並びに、電流に反応して第１の縁部の複数の位置で析出した材料の量に基づいて、及び、第２の電流に反応して第２の縁部の複数の位置で析出した材料の量に基づいて、試料の電流密度分布の３次元マップを生成すること、をさらに含む。
【０００７】
別の特定の実施形態では、落雷を受けた場合のコンポーネントのパフォーマンスを予測する方法は、第１のアセンブリプロセスを使用して、第１の連結具を第１の試料に結合することによって、繊維複合材の第１の試料を用意することを含む。当該方法は、第１の試料に材料を析出させるために、第１の連結具を介して第１の試料に第１の電流を印加すること、及び、第１の電流に反応して第１の試料の複数の位置で析出した材料の量を決定することも含む。当該方法は、第２のアセンブリプロセスを使用して第２の連結具を第２の試料に結合させることによって、繊維複合材料の第２の試料を用意することをさらに含む。当該方法は、第２の試料に材料を析出させるために、第２の連結具を介して第２の試料に第２の電流を印加すること、及び、第２の電流に反応して第２の試料の複数の位置で析出した材料の第２の量を決定することも含む。当該方法は、第１の電流に反応して第１の試料の複数の位置で析出した材料の量と第２の電流に反応して第２の試料の複数の位置で析出した材料の量との比較に基づいて、連結具、アセンブリプロセス、又はこれらの両方を選択することをさらに含む。当該方法は、第１の試料及び第２の試料に析出した材料の比較に基づいて、当該試料材で形成されるコンポーネントの、当該コンポーネントが落雷を受ける場合のパフォーマンスを、予測することをさらに含む。
【図面の簡単な説明】
【０００８】
【図１】試料の異方導電特性を評価するためのシステムの特定の実施形態の図である。
【図２】試料の異方導電特性を決定するため方法の特定の実施形態のフロー図である。
【図３】図２からの、追加のデータを生成する又は収集する方法の第１の実施形態のフロー図である。
【図４】図２からの、追加のデータを生成する又は収集する方法の第２の実施形態のフロー図である。
【図５】図２からの、追加のデータを生成する又は収集する方法の第３の実施形態のフロー図である。
【図６】図２からの、追加のデータを生成する又は収集する方法の第４の実施形態のフロー図である。
【図７】図２からの、追加のデータを生成する又は収集する方法の第５の実施形態のフロー図である。
【図８】図２からの、追加のデータを生成する又は収集する方法の第６の実施形態のフロー図である。
【図９】試料の異方導電特性を評価するシステムを示す図であり、図１０Ａ〜１０Ｋに対応する概略的な視点を示す。
【図１０Ａ】電気めっき後の試料の縁部の一部の画像を示す。
【図１０Ｂ】電気めっき後の試料の縁部の一部の画像を示す。
【図１０Ｃ】電気めっき後の試料の縁部の一部の画像を示す。
【図１０Ｄ】電気めっき後の試料の縁部の一部の画像を示す。
【図１０Ｅ】電気めっき後の試料の縁部の一部の画像を示す。
【図１０Ｆ】電気めっき後の試料の縁部の一部の画像を示す。
【図１０Ｇ】電気めっき後の試料の縁部の一部の画像を示す。
【図１０Ｈ】電気めっき後の試料の縁部の一部の画像を示す。
【図１０Ｉ】電気めっき後の試料の縁部の一部の画像を示す。
【図１０Ｊ】電気めっき後の試料の縁部の一部の画像を示す。
【図１０Ｋ】電気めっき後の試料の縁部の一部の画像を示す。
【図１１】試料の異方導電特性を評価するために使用され得るコンピューティングデバイスの、例示的な実施形態のブロック図である。
【発明を実施するための形態】
【０００９】
アセンブリの落雷時のパフォーマンスを決定するとき、締結具／複合材料インターフェースは、締結具周囲の領域が大電流に晒されるため特に注目される。複合材料が異方導電特質を有するので、アセンブリの平均的な伝導性の測定値は、アセンブリが大電流にどのように反応するかに関して有用な情報でないことがある。例えば、同じ設置仕様及び同じ平均伝導率を備える締結具のグループから選択される締結具を使用するアセンブリであっても、落雷時のパフォーマンスにおいては（例えば、締結具／複合材料インターフェースの相違により）、比較的大きい変化を提示し得る。異なるアセンブリプロセスが落雷時のパフォーマンスに影響することもある。例えば、同じサイズの締結具で、締まりばめ締結具インターフェースは、すきまばめ締結具インターフェースよりも良好な落雷時特性を有し得る。平均伝導率よりも、締結具周囲の領域での電流密度分布のほうが、アセンブリの落雷時パフォーマンスのより良い指標であり得る。電流密度分布は、後述のように、電気化学析出プロセスを使用して推定され又はマッピングされ得る。
【００１０】
図１は、試料１０２の異方導電特性を評価するためのシステム１００の特定の実施形態の図である。試料１０２は、マトリクス状の導電繊維を含む炭素繊維強化ポリマー（ＣＦＲＰ）もしくは他の複合材料などの複合材料を含み得る又はこれにより形成され得る。特定の実施形態で、複合材料は、ポリマーマトリクスによって共接合された、異方向に配置される複数の繊維プライを含む。下記でさらに記載するように、試料１０２の異方導電特性を評価するために、試料１０２に材料が析出され得る。
【００１１】
試料１０２は、連結具１１０を複合材料に結合することによって、用意され得る。連結具１１０は、連結具インターフェース１１２を介して複合材料に結合され得る。使用されるアセンブリプロセスに応じて、連結具インターフェース１１２は単純なもの又は複雑なものであり得る。単純な連結具インターフェースの例は、締まりばめ連結具インターフェース（例えば、連結具１１０が複合材料と直接的に物理的接触を伴っている）、及び、すきまばめ連結具インターフェース（例えば、連結具１１０と複合材料との間に間隙がある）を含む。より複雑な連結具インターフェースは、連結具１１０と複合材料との間で介在する材料（例えば、接着剤、スリーブ、導電性補助具（ｃｏｎｄｕｃｔｉｖｅ  ａｉｄｅ）、他の材料、又はそれらの組み合わせ）を使用する、連結具インターフェースを含む。異なる連結具及び異なるアセンブリプロセスの影響を比較するために、異なる連結具及び異なるアセンブリプロセスが使用され得る。
【００１２】
連結具１１０が試料１０２に結合された後、電気めっきなどの電気化学析出プロセスを使用して、材料が試料に析出され得る。例えば、試料１０２の一部が、めっき浴１０６内のめっき溶液１０４に接触させられる。連結具１１０は電源１０８に結合され得る。電源１０８は、めっき溶液１０４と接触している電極にも結合され得る。電源１０８は、連結具１１０を経由して試料１０２に電流を印加し得る。試料１０２の繊維（例えば、炭素繊維）が、及び、程度はより低い可能性があるが試料１０２のマトリクスが、めっき溶液１０４に電流を伝導し得る。めっき材料（銅など）が、電流に反応して試料１０２上に析出し得る。
【００１３】
試料１０２の任意の特定の位置に析出しためっき材料の量は、当該特定の位置でめっき溶液に伝導された電流の量に直接的に関係する。例えば、めっき材料が銅である場合、試料１０２の第１の位置が試料１０２の第２の位置よりも多くの電流を伝導した結果、試料１０２で、第２の位置よりも第１の位置でより多くの銅が析出され得る。特定の実施形態で、試料１０２の異なる部分は、試料における繊維の向き及び配置の結果、異なる方式で電流が伝導され得る。例えば、試料１０２内の繊維は繊維プライ状に配置され得る。各繊維プライにおいて、繊維は、主に、一又は複数の方向に配向される。解説すれば、繊維は２方向織りで配置され得る。異なるプライは異なる方向に向けられうる。しかしながら、この配置においても、試料１０２の繊維は全体としてすべての方向に均一に配置されていないかも知れない。解説すれば、試料１０２が円形である場合、第１の縁部１１４に露出している繊維は均一に分散されていないかも知れない。さらに、露出している繊維のうちのあるものは連結具１１０と直接的に交差し得るが、他の繊維はそうではない。したがって、電流が連結具１１０からめっき溶液１０４へと伝動されるとき、電流は試料によって異方的に伝導され、結果として、試料１０２上にめっき材料が不均一に析出する。
【００１４】
特定の位置で析出されるめっき材料の量は、（例えば、視覚的に）推定され得る又は測定され得る。特定の実施形態で、特定の位置に析出されためっき材料の質量は、後述するように、析出した材料の高さに基づいて測定され得る。
【００１５】
電気化学プロセス（例えば、電解）において析出する質量は、下記のように表すことができる：
2015148608.tif 000003
ここで、ｍは電極（例えば、図１試料１０２内の繊維）で放出された物質（例えば、めっき材料）の質量（例えば、グラムでの）であり、Ｑは物質を通過した総電荷であり、Ｆはファラデー定数（例えば、９６４８５Ｃ／ｍｏｌ）であり、Ｍは物質のモル質量であり、ｚは物質のイオンの原子価数（イオンあたりの移動される電子（ｅｌｅｃｔｒｏｎｓ  ｔｒａｎｓｆｅｒｒｅｄ  ｐｅｒ  ｉｏｎ））である。
【００１６】
特定の波形及び特定の持続期間に関して、特定の持続期間中に送達される総電荷は、下記によって決定され得る：
2015148608.tif 000004
ここで、ｔは持続期間（例えば、秒での）であり、Ｑは物質を通過した総電荷であり、Ｉ（ｔ）は電流波形（例えば、時間の関数としての電流）である。電解プロセスに関して、波形は固定された極性を有する。例えば、電流波形はＤＣ波形であり得る。固定された電流レベルＩ０を備えるＤＣ波形に関して、電極に送達される総電荷は：
2015148608.tif 000005
【００１７】
したがって、方程式３を方程式１へ単純化及び置換して、特定の繊維ｊにおける材料の質量の経時的な変化は、下記のように表され得る：
2015148608.tif 000006
【００１８】
概して円形の断面を備える繊維に関しては、析出した材料の成長が、電極内のイオン移動の空間的な対称性により、球対称であると仮定することが合理的である。すなわち、単一の繊維の端部で、材料は概ね球形に析出すると仮定することができる。繊維上に初めから存在する材料がまったくないと仮定すると、特定の繊維に析出する材料の質量は、析出した材料の繊維上部の高さに、下記の式によって関連付けることができる：
2015148608.tif 000007
ここで、Δｍは材料の質量の変化（例えば、材料の、質量での蓄積）であり、ρは材料の密度であり、Ｄｆは繊維の直径であり、ｈ２は繊維の上部における材料の最終的な高さ（ここで、繊維上に初めから存在する材料がまったくないので、初めの高さｈ１はゼロ）である。
【００１９】
方程式（４）を方程式（５）に置換し、Ｉｊについて解くと：
2015148608.tif 000008
【００２０】
方程式（６）は、特定の繊維上に析出するめっき材料の高さに基づいて、当該特定の繊維を通る電流フローを決定するために使用され得る。例えば、試料１０２に材料を析出させた後、特定の繊維に又は特定の領域内に析出した材料の高さは、高さ感受性のキャリブレートされた光学顕微鏡（例えば、微分干渉コントラスト顕微鏡）を使用して測定され得る。析出した高さは、試料１０２の第１の縁部１１４の少なくとも一部の電流密度の２次元マップを生成するために使用され得る。
【００２１】
第１の縁部１１４の部分における電流密度分布を測定又は推定した後、第２の縁部１１６を露呈するために、第１の縁部１１４は除去され（例えば、切除され）得る。析出プロセスは、第２の縁部１１６の部分の電流密度分布を生成するために、第２の縁部１１６に対して繰り返され得る。新しい縁部（例えば、試料１０２の漸進的に小さい直径部分）に材料を析出させるプロセスを使用して、試料１０２の電流密度分布の３次元マップを生成することができる。このようにして、試料１０２の異方導電特性を、良好な正確さ且つ比較的低コストで測定することができる。
【００２２】
上述のプロセスは、使用する（例えば、アセンブリを形成する）材料又はさらなる試験のための材料を選択するために、使用され得る。例えば、上述のプロセスは異なる試料に関して繰り返されることができ、これにより試料の比較が可能となる。試料は、異なる複合材料、異なる締結具、異なる締結具インターフェース（もしくはアセンブリプロセス）、又はそれらの組み合わせを使用することができる。試験される試料の１つの組のうち、より低い均質性の電流分布を備える試料と比較して、より均質な電流分布を備える試料が、より良好な落雷時パフォーマンスを提供することが期待されよう。
【００２３】
落雷試験は高額であり長時間を要することがあるので、最も均質性の高い電流分布を有する試料又は試料の組のみが、落雷試験の対象となるアセンブリを形成するために使用され得る。したがって、試料の大きなサンプリングは、上述のプロセスを使用した事前スクリーニングとなり得、幾つかの有望な試料のみがより高額な落雷試験の対象となることができる。
【００２４】
電流密度分布に関する情報は、試料１０２の基本的な異方導電特質の決定のような、落雷試験の事前スクリーニング以外の目的にも使用されることができる。例えば、上述のプロセスは、複数の、実質的に同一の試料（例えば、同じタイプの複合材料、同じタイプの連結具、及び同じタイプの連結具インターフェースで形成される試料）に対して繰り返されてもよい。電源１０８の異なる電圧が、実質的に同一の試料を試験するために使用されてもよい。多くの複合材料に関して、電流−電圧の関係は非線形である（例えば、電圧が増大するにつれて、複合材料のマトリクスは最終的に絶縁破壊を経験し得る）。したがって、異なる電圧を使用することにより、電流−電圧の関係が、その複合材料に関して評価されることができる。
【００２５】
図２は、試料（例えば、炭素繊維複合材などの繊維ベースの複合材を含む試料）の異方導電特性を決定する方法２００の特定の実施形態のフロー図である。例えば、試料は、図１の試料１０２を含み得る又はこれに対応する。方法２００は、２０２において、試料の第１の部分をめっき溶液に接触させることを含む。例えば、試料第１の部分は、図１の試料１０２の第１の縁部の少なくとも一部を含み得る。
【００２６】
方法２００は、２０４において、試料に材料（例えば、銅又は他の金属）を析出させるために、試料に電流を印加することも含む。特定の実施形態で、電流は、試料の第２の部分（例えば、試料の中央近傍の位置）に印加され、試料は、試料の第２の部分から試料の第１の部分（例えば、試料の縁部）へ、異方的に電流を伝導する。
【００２７】
方法２００は、２０６において、試料の複数の位置で析出した材料の量を決定することも含む。各位置において析出した材料の量は、決定の望ましい正確さに応じて、（例えば、上述のような高さ感受性の顕微鏡検査を使用して）測定される、又は、（例えば、試料の色の変化に基づいて）推定され得る。例えば、複数の位置のうち特定の位置において析出した材料の量は、当該特定の位置に析出した材料の層の高さを測定するための光学測定デバイスを使用して、決定され得る。
【００２８】
方法２００は、２０８において、試料の複数の位置で析出した材料の量に基づいて、試料の異方導電特性を決定することも含む。例えば、試料の異方導電特性を決定することは、電流に反応した試料の一部の電流密度分布を推定することを含み得る。解説すれば、試料の特定の位置における高い電流密度分布は、当該特定の位置において析出したより多い量の材料によって示され得る。
【００２９】
方法２００は、２１０において、追加のデータを生成する又は収集することも含み得る。追加のデータを生成する又は収集することの具体的な例が、図３〜８のフロー図を参照して説明される。試料の異方導電特性、追加のデータ、又はこれらの両方は、当該複合材料で形成されるコンポーネントの、当該コンポーネントが落雷を受ける場合のパフォーマンスを予測するために、使用され得る。
【００３０】
図３は、図２からの、追加のデータを生成する又は収集する方法２１０の、第１の実施形態のフロー図である。図３で、方法２１０は、３０２において、試料の複数の位置で析出した材料の量に基づいて試料の縁部における電流密度分布の２次元マップを生成することを含む。例えば、試料の領域に関して電流密度分布のマップが、試料の厚さ及びめっき溶液に接触された縁部の少なくとも一部に対応して、生成され得る。電流密度分布の２次元マップは、試料の縁部への異方電流フローに関する情報を提供し得る。
【００３１】
図４は、図２からの、追加のデータを生成する又は収集する方法２１０の、第２の実施形態のフロー図である。図４で、方法２１０は、４０２において、試料の複数の位置で析出した材料の量を決定した後、試料の第２の縁部を形成するために、試料の第１の縁部の少なくとも１つのセクションを除去することを含む。例えば、図１の試料１０２の一部は、第２の縁部１１６を露出させるために、除去され（例えば、切除され）得る。
【００３２】
方法２１０は、４０４において、試料の一部（第２の縁部を含む）をめっき溶液に接触させること、及び、４０６において、試料の第２の縁部において材料を析出させるために試料に第２の電流を印加することも含み得る。方法２１０は、４０８において、試料の第２の縁部の複数の位置で析出した材料の第２の量を決定すること、及び、４１０において、第２の縁部の複数の位置で析出した材料の量に基づいて、試料の第２の異方導電特性を決定することも含む。
【００３３】
方法２１０は、４１２において、前記異方導電特性及び第２の異方導電特性に基づいて、試料の電流密度分布の３次元マップを生成することも含み得る。例えば、試料の異なる周縁部にそれぞれ対応する複数の２次元マップは、電流密度分布の３次元マップを作成するために、組み合わされ得る。電流密度分布の３次元マップは、試料の中央近傍から試料の複数の周縁部への異方電流フローに関する情報を提供することができ、実質的に、試料本体内の異方電流分布を表している。
【００３４】
図５は、図２からの、追加のデータを生成する又は収集する方法２１０の、第３の実施形態のフロー図である。図５の方法２１０は、第２の試料をめっき溶液と接触させること、及び、５０２において、第２の試料に材料を析出させるために、第２の試料に第２の電流を印加することを含み得る。第２の試料は、前記試料と同じ材料で形成され得る。例えば、前記試料は第１の複合材料を含み得、第２の試料は第１の複合材料を含み得る。第２の電流は第２の電圧で印加され得、前記試料に印加するのに使用された電圧（例えば、第１の電圧）とは異なり得る。
【００３５】
方法２１０は、５０４において、第２の試料の複数の位置で析出した材料の第２の量を決定すること、及び、５０６において、第１の電圧に反応した前記試料の異方導電特性と第２の電圧に反応した第２の試料の異方導電特性との間の差を決定することも含む。方法２１０は、５０８において、複数の電圧に反応した、第１の複合材料の電流密度分布を推定することも含み得る。例えば、第１の複合材料の電流‐電圧の関係が決定され得る。
【００３６】
図６は、図２からの、追加のデータを生成する又は収集する方法２１０の、第４の実施形態のフロー図である。図６の方法２１０は、第２の試料をめっき溶液と接触させること、及び、６０２において、第２の試料に材料を析出させるために、第２の試料に第２の電流を印加することを含み得る。第２の試料は、前記試料とは異なる材料で形成され得る。例えば、前記試料は第１の複合材料を含み、第２の試料は第１の複合材料とは異なる第２の複合材料を含み得る。
【００３７】
方法２１０は、６０４において、第２の試料の複数の位置で析出した材料の第２の量を決定することも含み得る。方法２１０は、６０６において前記試料の異方導電特性と第２の試料の異方導電特性との比較を実施すること、及び、６０８において、この比較に少なくとも部分的に基づいて、コンポーネントを形成するのに使用するための材料を選択することを含み得る。例えば、前記試料の電流密度分布は、第２の試料の電流密度分布と比較され得る。この比較に基づき、第１の複合材料又は第２の複合材料が、コンポーネント（航空機外板パネル又は落雷試験の対象となる試験用パネルなど）を形成するのに使用されるために、選択され得る。解説すれば、より均一な電流密度分布に関連付けられる特定の複合材料が、選択され得る。
【００３８】
図７は、図２からの、追加のデータを生成する又は収集する方法２１０の、第５の実施形態のフロー図である。図７の方法２１０は、第２の試料をめっき溶液と接触させること、及び、７０２において、第２の試料に材料を析出させるために、第２の試料に第２の電流を印加することを含み得る。第２の試料は、前記試料と同じ材料で形成され得る、又は、異なる材料で形成され得る。第２の電流を第２の試料に印加するのに使用される第２の連結具は、前記試料に電流を印加するのに使用される第１の連結具とは異なり得る。例えば、第１の連結具及び第２の連結具は、異なるタイプのものであってよく（例えば、ねじ留め締結具に対してリベット）、異なる材料で形成されてもよく、異なるサイズ及び／又は形状であってもよく、他の点（例えば、ねじ山数もしくはねじピッチ）で異なってもよく、又はこれらの組み合わせで異なってもよい。
【００３９】
方法２１０は、７０４において、第２の試料の複数の位置で析出した材料の第２の量を決定することも含み得る。方法２１０は、７０６において前記試料の異方導電特性と第２の試料の異方導電特性との比較を実施すること、及び、７０８において、この比較に少なくとも部分的に基づいて、コンポーネントと共に使用するための連結具を選択することを含み得る。例えば、（第１の連結具を使用した）当該試料の電流密度分布は、（第２の連結具を使用した）第２の試料の電流密度分布と比較され得る。この比較に基づき、特定の連結具が、コンポーネント（航空機外板パネル又は落雷試験の対象となる試験用パネルなど）を形成するのに使用されるために選択され得る。解説すれば、より均一な電流密度分布に関連付けられる特定の連結具が選択され得る。
【００４０】
図８は、図２からの、追加のデータを生成する又は収集する方法２１０の、第６の実施形態のフロー図である。図８の方法２１０は、第２の試料をめっき溶液と接触させること、及び、８０２において、第２の試料に材料を析出させるために、第２の試料に第２の電流を印加することを含み得る。第２の試料は、当該試料と同じ材料で形成され得る、又は、異なる材料で形成され得る。第２の試料を形成するために（例えば、第２の連結具を第２の試料に結合するために）使用される第２のアセンブリプロセスは、前記試料を形成するために（例えば、第１の連結具を前記試料に結合するために）使用される第１のアセンブリプロセスとは、異なり得る。例えば、第１のアセンブリプロセス及び第２のアセンブリプロセスは、異なるタイプの連結具インターフェースもしくは異なる連結具インターフェース材料を使用してもよく、異なるサイズ及び／もしくは形状の連結具インターフェースを使用してもよく、他の点（例えば、連結具インターフェース材料の硬化温度）で異なってもよく、又はそれらの組み合わせで異なってもよい。
【００４１】
方法２１０は、８０４において、第２の試料の複数の位置で析出した材料の第２の量を決定することも含み得る。方法２１０は、８０６において、前記試料の異方導電特性と第２の試料の第２の異方導電特性との比較を実施すること、及び、８０８において、この比較に少なくとも部分的に基づいて、連結具をコンポーネントに結合するためのアセンブリプロセスを選択することを、さらに含み得る。例えば、（第１のアセンブリプロセスを使用した）前記試料の電流密度分布は、（第２のアセンブリプロセスを使用した）第２の試料の電流密度分布と比較され得る。この比較に基づき、特定のアセンブリプロセスが、コンポーネント（航空機外板パネル又は落雷試験の対象となる試験用パネルなど）を形成するのに使用されるために、選択され得る。解説すれば、より均一な電流密度分布に関連付けられる特定のアセンブリプロセスが選択され得る。
【００４２】
追加データを収集する又は生成するための様々な方法２１０が図３〜８を参照して記載されたが、これらの方法２１０は、互いに排他的な代替形態として理解されるべきでない。むしろ、追加データは図３〜８の方法２１０のうち任意の２つ又はそれ以上を共に使用することによって、収集され又は生成され得る。解説すれば、コンポーネントを形成するのに使用される材料及び連結具の両方が、図６及び７の方法２１０を組み合わせることによって、選択され得る。別の例示的な実施形態として、（図３の方法２１０を使用して決定される）電流密度分布の２次元マップ、（図４の方法２１０を使用して決定される）電流密度分布の３次元マップ、又はそれらの両方が、材料、コンポーネント、及び／又はコンポーネントを形成するために使用されるアセンブリプロセスの選択を容易にするために、使用され得る。さらに、図５〜８の方法２１０の各々は、２つの試料の観点から記載されたが、当該方法は、２つよりも多い試料を使用して実施されてもよい。例えば、図５〜８のいずれの方法２１０も、２つよりも多い試料、２つよりも多い連結具、２つよりも多いアセンブリプロセス、又は２つよりも多い電圧を比較するために、第３の試料、第４の試料、又はさらなる試料に関して繰り返されてもよい。同様に、図４の方法２１０は２つの縁部に関して記載されているが、より完全な又はより克明な３次元マップを生成するために、図４の方法２１０は追加の縁部に関して繰り返されてもよい。
【００４３】
図９は、試料の異方導電特性を評価するためのシステム９００を示す略図であり、図１０Ａ〜１０Ｋに対応する概略的な図を示す。システム９００は、測定システム９０４に結合されるコンピューティングシステム９０２を含む。システム９００は、材料が析出した後の試料１０２も示す。図１０Ａ〜１０Ｋの記載を支援するために、析出プロセス中の流体表面レベルが概略的に示されている９１２。
【００４４】
測定システム９０４は、試料１０２の特定の位置で析出した材料の量に対応するパラメータを測定するように構成され得る。例えば、測定システム９０４は、試料１０２の特定の位置で析出した材料の量を、試料１０２の色差に基づいて、析出した層の高さに基づいて、他の情報に基づいて、又はこれらの組み合わせに基づいて、決定することが可能な光学測定デバイスを含み得る。測定システム９０４は、測定されたパラメータ（例えば、析出した層の高さを示す値）に対応するデータを、コンピューティングシステム９０２に供給し得る。
【００４５】
コンピューティングシステム９０２は、プロセッサ９０６及びメモリ９０８（例えば、非一時的コンピュータ可読記憶デバイス）を含み得る。メモリ９０８は、図２〜８のうちの一又は複数の方法に関連付けられる計算、解析、評価、又は決定プロセスを実施するために、プロセッサ９０２によって実行可能な、指令９１０を記憶し得る。例えば、プロセッサ９０２は、測定されたパラメータを示すデータを測定システム９０４から受信するために、指令９１０を実行し、当該データに基づき、試料１０２の特定の位置で析出した材料の量を決定し得る。別の実施例として、プロセッサ９０２は、試料１０２の複数の位置で析出した材料の量に基づいて、試料１０２に関する電流密度分布の２次元マップ又は３次元マップを生成するために、指令９１０を実行し得る。
【００４６】
特定の実施形態で測定システム９０４は、測定されるパラメータを、一度に試料の１つの位置ずつ、測定する。例えば、図９に示すように、測定システム９０４及び試料１０２は、測定システム９０４が試料の縁部におけるパラメータを１０Ａで表される円弧角内で測定できるように、配向される。その後、測定システム９０４及び／又は試料１０２は、測定システム９０４が、試料の縁部の、１０Ｂ〜１０Ｋで表される弧のうちの一又は複数などの（別の円弧角に対応する）別の位置でパラメータを測定できるように、再配向され得る。上述のように、試料の複数の位置が測定された後、試料の縁部は、新しい縁部を露呈するために除去され得る。材料は新しい縁部に析出し、測定システム９０４は、新しい縁部の様々な位置でのパラメータを測定するために使用され得る。
【００４７】
図１０Ａ〜１０Ｋの各々は、電気めっき後の試料の縁部の一部の画像を示す。図１０Ａ〜１０Ｋにおける画像は、図９で１０Ａ〜１０Ｋで表される円弧角に対応する。例えば、図１０Ａは、図９の円弧角１０Ａでの試料１０２の縁部の、第１の部分の顕微鏡画像を示す。同様に、図１０Ｂは、図９の円弧角１０Ｂでの試料１０２の縁部の、第２の部分の顕微鏡画像を示す。
【００４８】
図９に示すように、図１０Ａにおける試料の縁部の第１の部分は、析出プロセス中に、流体表面レベル９１２よりも上にあった。したがって、図１０Ａの顕微鏡画像は、試料の縁部のうち析出した材料がない縁部のみを示している。
【００４９】
図１０Ｂは、図９のめっき溶液の流体表面レベル９１２を横断する、試料の縁部の一部を示す。図１０Ｂで、流体表面レベル９１２のおよその位置が、インターフェース位置１００２において見て取れる。インターフェース位置１００２の上部（例えば、１００４で表される領域）で、試料はめっきされていない（例えば、析出した材料がない）。インターフェース位置１００２の下部（例えば、１００６で表される領域）では、材料が試料に析出し、図１０Ｂの画像においては（析出した材料の量に応じて）灰色又は白色の領域として現れている。
【００５０】
試料に析出した材料は、析出した材料の量に応じて異なる灰色及び白色の陰影として、図１０Ｃ〜１０Ｋにも見て取れる。試料のプライも、少なくともいくつかの画像において見て取れる。例えば、図１０Ｈ及び１０Ｉで、試料のプライが見て取れる。したがって、図１０Ｂ〜１０Ｋは、試料に析出する材料の量が試料の位置（例えば、円弧角によって）によってどのように変動し得るかを示す。当然ながら、図１０Ａ〜１０Ｋは、上述の方法の対象となった特定の試料のみに関する結果を示す。他の試料を上述の方法の対象とすることにより、材料の析出における量及び分布が異なる結果となることが期待されよう。析出する材料の量及び分布は、試験される各試料の電流密度分布に関連するので、様々な試料の電流密度分布が比較されることができる。例えば、視覚的又は光学的な検査により、電流密度分布の大まかな比較がもたらされ得る。電流密度分布のより詳細な比較は、各試料の様々な位置で析出する材料を定量化することによって、決定され得る。
【００５１】
図１１は、試料の異方導電特性を評価するために使用され得るコンピューティング環境１１００の、例示的な実施形態のブロック図である。環境１１００は、本発明によるコンピュータに実装される方法及びコンピュータで実行可能なプログラム指令（又はコード）の実施形態を支持するために、汎用コンピューティングデバイス１１１０を含む。例えば、コンピューティングデバイス１１１０又はその部分は、（例えば、様々な位置で試料に析出する材料の量の測定に基づいて）試料の異方導電特性を解析するために、指令を実行し得る。特定の実施形態で、コンピューティングデバイス１１１０は、図９のコンピューティングコンピューティングシステム９０２を含む、これに含まれる、又はこれに対応し得る。
【００５２】
コンピューティングデバイス１１１０は、プロセッサ１１２０を含み得る。プロセッサ１１２０は、システムメモリ１１３０、一もしくは複数の記憶デバイス１１４０、一もしくは複数の入出力インターフェース１１５０、一もしくは複数の通信インターフェース１１６０、又はこれらの組み合わせと通信し得る。システムメモリ１１３０は、揮発性メモリデバイス（例えば、ランダムアクセスメモリ（ＲＡＭ）デバイス）、不揮発性メモリデバイス（例えば、リードオンリーメモリ（ＲＯＭ）デバイス、プログラム可能リードオンリーメモリ、及びフラッシュメモリ）、又はそれらの両方を含み得る。一又は複数の記憶デバイス１１４０は、磁気ディスク、光学ディスク、又はフラッシュメモリデバイスなどの不揮発性記憶デバイスを含み得る。記憶デバイス１１４０は、着脱可能な及び着脱不可能なメモリデバイスを含み得る。特定の実施形態で、システムメモリ１１３０、記憶デバイス１１４０、又はこれらの両方は、有形の、非一時的なコンピュータ可読媒体を含む。
【００５３】
システムメモリ１１３０、一又は複数の記憶デバイス１１４０、又はこれらの両方は、オペレーティングシステム１１３２を含み、オペレーティングシステム１１３２は、コンピューティングデバイス１１１０をブート処理するための基本入出力システムと共に、コンピューティングデバイス１１１０のユーザとの相互作用を可能にするフルオペレーティングシステム、他のプログラム、及び他のデバイスを含み得る。システムメモリ１１３０、一又は複数の記憶デバイス１１４０、又はこれらの両方は、一又は複数の試料の異方導電特性を（例えば、様々な位置で材料に析出する材料の量の測定に基づいて）解析又は比較するためのアプリケーションなどの一又は複数のアプリケーションプログラム１１３４、試料の伝導特質の多次元マップを生成するための指令、図２〜８の方法のうちの一又は複数を実施するもしくは促進するための指令、又は、これらの組み合わせを含み得る。システムメモリ１１３０、一又は複数の記憶デバイス１１４０、又はこれらの両方は、一もしくは複数のアプリケーション１１３４によって生成される結果又は一もしくは複数のアプリケーション１１３４によって使用されるオペレーティングデータなどの、プログラムデータ１１３６を含み得る。例えば、プログラムデータ１１３６は、一又は複数の試料の異方導電特性に対応するデータ、一又は複数の試料の異方導電特性の多次元マップ、図２〜８の方法のうちの一又は複数からの結果となる他のデータ、又はこれらの組み合わせを含み得る。
【００５４】
プロセッサ１１２０は、コンピューティングデバイス１１１０がユーザ相互作用を促進するために一又は複数の入出力デバイス１１７０と通信することを可能にする、一又は複数の入出力インターフェース１１５０とも通信し得る。入出力インターフェース１１５０は、シリアルインターフェース（例えば、ユニバーサルシリアルバス（ＵＳＢ）インターフェースもしくは米国電気電子学会（ＩＥＥＥ）１３９４インターフェース）、パラレルインターフェース、ディスプレイアダプタ、オーディオアダプタ、及び他のインターフェースを含み得る。入出力デバイス１１７０は、キーボード、ポインティングデバイス、ディスプレイ、スピーカ、マイクロフォン、タッチスクリーン、（図９の測定システム９０４などの）測定システム、他のデバイス又はそれらの組み合わせを含み得る。プロセッサ１１２０は、入出力インターフェース１１５０を介して受信するユーザ入力に基づき、相互作用イベントを検知し得る。さらに、プロセッサ１１２０は、（例えば、図１０Ａ〜１０Ｋの画像のうちの一又は複数、試料の導電特性の多次元マップ、２つ又はそれ以上の試料の導電特性の数値上もしくは画像上の比較などの）表示を、入出力インターフェース１１５０を介して、ディスプレイデバイスに送信し得る。
【００５５】
プロセッサ１１２０は、一又は複数の通信インターフェース１１６０を介して、他のコンピュータシステム１１８０と通信し得る。一又は複数の通信インターフェース１１６０は、有線イーサネットインターフェース、ＩＥＥＥ８０２無線インターフェース、他の無線通信インターフェース、又は他のネットワークインターフェースを含み得る。他のコンピュータシステム１１８０は、ホストコンピュータ、サーバ、ワークステーション、及び他のコンピューティングデバイスを含み得る。
【００５６】
上述の実施形態は例示的なものであり、本開示を限定するものではない。本発明の開示の原則にしたがう複数の修正例及び変形例が可能であることを理解されたい。
【００５７】
本明細書に記載の実施形態の図解は、様々な実施形態の構造の全体的な理解を促すことを意図している。これら図解は、本明細書に記載の構造又は方法を利用する装置及びシステムの、すべての要素及び特徴の完全な記載として機能することを意図してない。本開示を精査することにより、当業者には他の多くの実施形態が明らかであろう。本開示の範囲を逸脱することなく構造的及び論理的な置き換え及び変更がなされるように、本開示から、他の実施形態が利用され導かれ得る。例えば、方法のステップは図示のものとは異なる順序で実施され得る、又は、一もしくは複数の方法のステップは省略され得る。したがって、本明細書の記載及び図は、限定的ではなく例示的なものと見なされるべきである。
【００５８】
さらに、具体的な実施形態が本明細書で例示され記載されてきたが、同じ又は類似の結果を達成するように設計されるいかなる後続の構成も、示されている具体的な実施形態に置き換えられ得るということを理解されたい。本開示は、様々な実施形態の後続するすべての応用形態又は変形形態をカバーすることを意図している。上述の実施形態の組み合わせ及び本明細書に特段の記載のない他の実施形態は、本開示の記載を精査する当業者には明らかである。
【００５９】
「要約書」は、特許請求の範囲もしくはその意味を解釈する又は限定するために使用されないとの理解のもとに、提出されるものである。さらに、本開示を簡潔にする目的で、前述の「発明を実施するための形態」における様々な特徴は、グループ化され又は単一の実施形態中に記載され得る。本開示は、特許請求される実施形態が、各請求項に明確に記載されるもの以外の特徴を要求するという意図を反映すると解釈されるものではない。むしろ、下記の特許請求の範囲が反映しているように、特許請求される主題は、記載される任意の実施形態のうちのすべての特徴よりも狭義に向けられている。
【符号の説明】
【００６０】
１００    システム
１０２    試料
１０４    めっき溶液
１０６    めっき浴
１０８    電源
１１０    連結具
１１２    連結具インターフェース
１１４    第１の縁部
１１６    第２の縁部
２００    方法
２１０    方法
９００    システム
９１２    流体表面レベル
１１００    コンピューティング環境
【図１】
2015148608.tif 000009
【図２】
2015148608.tif 000010
【図３】
2015148608.tif 000011
【図４】
2015148608.tif 000012
【図５】
2015148608.tif 000013
【図６】
2015148608.tif 000014
【図７】
2015148608.tif 000015
【図８】
2015148608.tif 000016
【図９】
2015148608.tif 000017
【図１１】
2015148608.tif 000018
【図１０Ａ】
2015148608.tif 000019
【図１０Ｂ】
2015148608.tif 000020
【図１０Ｃ】
2015148608.tif 000021
【図１０Ｄ】
2015148608.tif 000022
【図１０Ｅ】
2015148608.tif 000023
【図１０Ｆ】
2015148608.tif 000024
【図１０Ｇ】
2015148608.tif 000025
【図１０Ｈ】
2015148608.tif 000026
【図１０Ｉ】
2015148608.tif 000027
【図１０Ｊ】
2015148608.tif 000028
【図１０Ｋ】
2015148608.tif 000029
【外国語明細書】
2015148608000001.pdf
2015148608000002.pdf
2015148608000003.pdf
2015148608000004.pdf